【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
柔らかさ、温かさ、固さおよび深みの嗅覚印象を供給することができる、長く続くおよびインパクトが強い、空気清浄機への応用を意図するフレグランス配合物を作り出す方法であって、下記の工程を含む、前記方法。
−  フレグランス成分の柔軟性指標（Ｆｌｉ）を計算することによってフレグランス成分の配座可動性を決定する工程、
ここで、各フレグランス成分の構造はＭＭＦＦ９４力場を用いることにより、Molecular Operating Environment（ＭＯＥ）におけるエネルギー最小化メニューのＬｏｗＭｏｄｅＭＤサーチのデフォルト設定を適用することにより最小化され、各分子の配座はＭＯＥにおけるＬｏｗＭｏｄｅＭＤサーチのデフォルト設定により生成され、そして、各配座の水が到達できる表面領域値（ＡＳＡ）は、水分子の半径１．４Åを用いることによりＭＯＥで計算される、および、
−  以下の群から少なくとも１つのフレグランス成分を選択する工程：
総液体組成物の０．１〜１０重量％の、成分群１の成分であるフレグランス成分；または
総液体組成物の０．１〜７重量％の、成分群２の成分であるフレグランス成分；または
総液体組成物の０〜１重量％の、成分群３の成分であるフレグランス成分；
ここで、成分群１は、標準平衡ヘッドスペース濃度（ＨＳｉ）が１２〜５０マイクログラム／リットルより大きく、公知の柔軟性指標（Ｆｌｉ）が４５以上であり；
成分群２は、標準平衡ヘッドスペース濃度（ＨＳｉ）が５〜１２マイクログラム／リットルの間であり、公知の柔軟性指標が２０以上であり、より特に２０〜４４の間であり；
成分群３は、標準平衡ヘッドスペース濃度（ＨＳｉ）が５マイクログラム／リットル未満であり、公知の柔軟性指標が７以上であり、より特に７〜１９の間である。
【請求項２】
少なくとも１つのフレグランス成分がムスクである、請求項１に記載の方法。
【請求項３】
少なくとも１つのフレグランス成分が、カシュメラン、ガラクソリドＳ、ガラクソリド、モキサロン、コスモン、チベトリド、ベルビオン、ムセノン、ニルバノリド、ハバノリド、シベトン、Ｃ１４ムスク、エチレンブラシレート、アンブレットリド、セレノリド、シルコリド（Sylkolide）およびシルバノン、ムスクＣＰＤ、ヘキサデカノリド、（Ｒ，Ｅ）−２−メチル−２−（（３−メチルヘキサ−３−エン−２−イル）オキシ）プロピルシクロプロパンカルボキシラート、（Ｒ，Ｅ）−２−（（３−エチル−５−メチルヘキサ−３−エン−２−イル）オキシ）−２−メチルプロピルシクロプロパンカルボキシラート、（Ｒ，Ｅ）−２−（（３−エチル−５−メチルヘキサ−３−エン−２−イル）オキシ）−２−メチルプロピルプロピオナート、（Ｒ，Ｅ）−２−（（３−エチル−５−メチルヘキサ−３−エン−２−イル）オキシ）−２−メチルプロピルシクロブタンカルボキシラート、（Ｒ，Ｅ）−２−（（３，６−ジメチルヘプタ−３−エン−２−イル）オキシ）−２−メチルプロピルシクロプロパンカルボキシラート、（Ｅ）−２−（（３，５−ジメチルヘプタ−３−エン−２−イル）オキシ）−２−メチルプロピルシクロプロパンカルボキシラート、および２−（（４−シクロヘキサ−３−エン−１−イル）−３−メチルブタ−３−エン−２−イル）オキシ）−２−メチルプロピルイソブチラートからなる群から選択される、請求項１または２に記載の方法。
【請求項４】
少なくとも１つのフレグランス成分が、０．１〜１０重量％のシルコリド（Sylkolide）、０．１〜７％の、より特に３〜５％のコスモン、および／または０．１〜７重量％の、より特に５〜７重量％のセレノリドから選択される、請求項１〜３のいずれか一項に記載の方法。
【請求項５】
ガラクソリドＳ、Ｃ１４ムスク、エチレンブラシレート、アンブレットリドおよびベルビオンが全く用いられない、請求項１〜４のいずれか一項に記載の方法。
【請求項６】
液体組成物を含むタンクを含む液体電気空気ケア装置であって、液体組成物が、
総液体組成物の０．１〜１０重量％の、標準平衡ヘッドスペース濃度（ＨＳｉ）が１２〜５０マイクログラム／リットルより大きく、公知の柔軟性指標（Ｆｌｉ）が４５以上であるフレグランス成分、および／または、
総液体組成物の０．１〜７重量％の、標準平衡ヘッドスペース濃度（ＨＳｉ）が５〜１２マイクログラム／リットルの間であり、公知の柔軟性指標が２０〜４４の間であるフレグランス成分、および／または、
総液体組成物の０〜１重量％の、標準平衡ヘッドスペース濃度（ＨＳｉ）が５マイクログラム／リットル未満であり、公知の柔軟性指標が７〜１９の間であるフレグランス成分、
を含む、前記液体電気空気ケア装置。
【請求項７】
液体組成物が、０．１〜１０重量％のシルコリド（Sylkolide）および／または３〜５％のコスモンおよび／または５〜７重量％のセレノリドを含む、請求項６に記載の液体電気空気ケア装置。
【請求項８】
総液体組成物の０．１〜１０重量％の、標準平衡ヘッドスペース濃度（ＨＳｉ）が１２〜５０マイクログラム／リットルより大きく、公知の柔軟性指標（Ｆｌｉ）が４５以上であるフレグランス成分、および／または、
総液体組成物の０．１〜７重量％の、標準平衡ヘッドスペース濃度（ＨＳｉ）が５〜１２マイクログラム／リットルの間であり、公知の柔軟性指標が２０〜４４の間であるフレグランス成分、および／または、
総液体組成物の０〜１重量％の、標準平衡ヘッドスペース濃度（ＨＳｉ）が５マイクログラム／リットル未満であり、公知の柔軟性指標が７〜１９の間であるフレグランス成分、
を含む液体組成物の、液体電気空気ケア装置における使用。
【手続補正２】
【補正対象書類名】明細書
【補正対象項目名】００３２
【補正方法】変更
【補正の内容】
【００３２】
これらの担体香料成分のいずれかが本発明による液体配合物中に存在する場合、それらは、液体配合物の総重量に基づき１０％以上、より特に２０％以上、なおより特に３０％以上の量において存在してもよい。該成分の上限は、本発明の液体配合物の総重量に基づき６０％まで、より特に７０％まで、およびなおより特に８０％までであってよい。
本発明のある態様において、液体組成物は、イソノニルアセタート、ジヒドロミルセノール、リナロール、ゲラニオール、ｄ−リモネン、ベンジルアセタート、およびそれらの混合物を含む。好ましくは、イソノニルアセタート、ジヒドロミルセノール、リナロール、ゲラニオール、ｄ−リモネン、ベンジルアセタート、およびそれらの混合物は、液体配合物の総重量に基づいて１０％以上、より特に２０％以上、なおより特に３０％以上の量で存在する。
【手続補正３】
【補正対象書類名】明細書
【補正対象項目名】００３９
【補正方法】変更
【補正の内容】
【００３９】
さらなる態様において、本発明は、上で定義した液体組成物を含むタンクを含む、液体電気空気ケア装置を提供する。
本発明による液体組成物との使用に適する空気ケア装置は電気空気清浄装置を含み、それはエネルギーの電気的なまたはバッテリー源を含む。用語「電気的空気清浄装置」は、加熱された液体ウィックシステム、圧電スプレーシステム、エレクトロスプレー装置およびベンチュリ装置、ならびに太陽または他のエネルギーの代替形態により電力供給される装置を含む。